(57)【特許請求の範囲】
【請求項１】
可動スイッチレバーを有する遮断器と、
前記遮断器のオフの位置と前記遮断器のオンの位置との間に勾配を付けた折り曲げが施された部分を有する誤切断防止具とを備えた電源装置であって、
前記誤切断防止具は、前記電源装置における前記可動スイッチレバーが位置する側の筐体壁の一部分に設けられた前記遮断器用の固定穴を利用して取付けられ、前記遮断器の前記可動スイッチレバーが前記遮断器の前記オフの位置から、前記可動スイッチレバーが前記遮断器の前記オンの位置まで自動的にはね上がるはね上がり開始の位置に達するまでは、前記可動スイッチレバーの頭部が前記誤切断防止具の前記折り曲げが施された部分の外側に前記可動スイッチレバー部分を確実に操作できる程度に露出し、前記遮断器の前記オンの位置では前記可動スイッチレバーの頭部は前記誤切断防止具の前記折り曲げが施された部分によって実質的に覆い隠され、前記誤切断防止具は前記可動スイッチレバーを前記遮断器の前記オンの位置から前記オフの位置まで移動させることができる程度の幅の切り抜き部分を有することを特徴とする電源装置。
【発明の詳細な説明】
【０００１】
【発明の属する技術分野】
本発明は、遮断器の誤切断防止具を備えた電源装置に関する。
【０００２】
【従来の技術】
電源装置の負荷として通信機、電話交換機などがある場合、作業者が意図しないときに体の一部が可動スイッチレバーに接触し、可動スイッチレバーが動いて、誤って電源装置の出力を切断してしまい、通信途絶となり大きな悪影響を及ぼす危険性が有る。
【０００３】
誤切断を防止する第１の従来例を、図４を用いて説明する。
第１の従来例では、遮断器ＣＢを正面パネルＢの一部分を切り抜いた操作用穴の内側に、遮断器ＣＢのオン又はオフの状態においては遮断器ＣＢの可動スイッチレバーＡが電源装置の正面パネルＢ表面から完全に埋没する程度に、取付金具Ｗを用いて取付けていた。
【０００４】
作業者はこの操作用穴内に指を差し入れて可動スイッチレバーＡの頭部Ｈを上下方向に操作して遮断器をオン、オフしていた。
【０００５】
つぎに、第２の従来例を図５を用いて説明する。
第２の従来例は、誤切断防止具Ｘを用いる方法であり、遮断器ＣＢの可動スイッチレバーＡ部分が電源装置の正面パネルＢより完全に露出するようにして取付け、Ｚ字型に曲げた誤切断防止具Ｘをその可動スイッチレバーＡの上方に取付けていた。
【０００６】
【発明が解決しようとする課題】
第１の従来例では、図４に示すように、遮断器ＣＢを正面パネルＢより埋没させるために取付金具Ｗを用いていたので、取付金具Ｗの製造コストが高く、組立て工数も多く必要であった。
【０００７】
また、電源装置と遮断器ＣＢの近年の大幅な小型化に伴い、正面パネルＢに切り抜かれる可動スイッチレバーＡの操作用穴が小さくならざるを得ず、遮断器ＣＢをオン、オフするときに可動スイッチレバーＡの頭部Ｈを指で上下方向に動かす操作性が非常に悪くなっていた。
【０００８】
さらに、その遮断器ＣＢの位置が作業者の目線よりも低かったり高かったりするとその可動スイッチレバーＡの操作性が非常に悪くなっていた。
【０００９】
また、第２の従来例では、図５に示すように、可動スイッチレバーＡの上部にＺ字型に曲げた誤切断防止具Ｘがあるのみなので、作業者が意図しないときに誤切断防止具Ｘの下方から体の一部が可動スイッチレバーＡに接触し、可動スイッチレバーＡが動いて、誤って電源回路の入力や出力を切断してしまう危険性があった。
【００１０】
【課題を解決するための手段】
本発明は、可動スイッチレバーを有する遮断器と、前記遮断器のオフの位置と前記遮断器のオンの位置との間に勾配を付けた折り曲げが施された部分を有する誤切断防止具とを備えた電源装置であって、
前記誤切断防止具は、前記電源装置における前記可動スイッチレバーが位置する側の筐体壁の一部分に設けられた前記遮断器用の固定穴を利用して取付けられ、前記遮断器の前記可動スイッチレバーが前記遮断器の前記オフの位置から、前記可動スイッチレバーが前記遮断器の前記オンの位置まで自動的にはね上がるはね上がり開始の位置に達するまでは、前記可動スイッチレバーの頭部が前記誤切断防止具の前記折り曲げが施された部分の外側に前記可動スイッチレバー部分を確実に操作できる程度に露出し、前記遮断器の前記オンの位置では前記可動スイッチレバーの頭部は前記誤切断防止具の前記折り曲げが施された部分によって実質的に覆い隠され、前記誤切断防止具は前記可動スイッチレバーを前記遮断器の前記オンの位置から前記オフの位置まで移動させることができる程度の幅の切り抜き部分を有することを特徴とする電源装置を提供する。
【００１１】
【発明の実施の形態および実施例】
図１により、本発明にかかる第１の実施例を説明する。図１（ａ）は正面パネルＢに取付けられた本発明の誤切断防止具Ｙの側面図であり、図１（ｂ）はその正面図であり、図１（ｃ）はその斜視図である。
【００１２】
遮断器ＣＢの可動スイッチレバーＡの操作位置には、図１（ａ）で示すように、遮断器ＣＢが下方のオフの位置１と上方のオンの位置３と、それらの中間でほぼ水平の位置にあり指を離せば自動的にオンの位置３に向け可動スイッチレバーＡがはね上がりを開始するはね上がり開始の位置２がある。
【００１３】
本発明の誤切断防止具Ｙは、遮断器ＣＢ用の固定穴Ｄを利用し、電源装置の筐体の一部分、例えば正面パネルＢの表面に共締めで固定され、可動スイッチレバーＡが遮断器ＣＢのオンの位置３にあるときはその可動スイッチレバーＡの頭部Ｈを実質的に覆い隠すように折り曲げが施されている。
【００１４】
そのため、作業者が意図しないときに体の一部が可動スイッチレバーＡに接触し、可動スイッチレバーＡが動いて、誤って電源回路の入力や出力を切断してしまうという危険性はない。
【００１５】
また、可動スイッチレバーＡが遮断器ＣＢのオフの位置１にあるときは誤切断防止具Ｙから可動スイッチレバーＡの頭部Ｈが実質的に露出するように折り曲げを施している。
【００１６】
遮断器ＣＢをオフ状態からをオンするために、可動スイッチレバーＡを遮断器ＣＢのオフの位置１からほぼ水平の位置のはね上がり開始の位置２まで押し上げる間は、誤切断防止具Ｙから可動スイッチレバーＡの頭部Ｈが実質的に露出するように誤切断防止具Ｙに勾配を付けてある。
【００１７】
可動スイッチレバーＡがはね上がり開始の位置２に達すると、指を離しても自動的に可動スイッチレバーＡは遮断器ＣＢのオンの位置３にはね上がり、その可動スイッチレバーＡの頭部Ｈは誤切断防止具Ｙに実質的に覆い隠される。
【００１８】
さらに、可動スイッチレバーＡを操作する方法として、従来は指を電源装置の正面パネルＢにほぼ垂直方向で可動スイッチレバーＡを上下させていたが、本発明ではより操作し易いように、誤切断防止具Ｙの表面に正面パネルＢに平行な方向に指を沿わせて可動スイッチレバーＡをはね上がり開始の位置２まで容易に、かつ、確実に押し上げることができるような勾配にしてあり、操作性が良くなった。
【００１９】
遮断器ＣＢをオフするときは、誤切断防止具Ｙの正面部分に作業者の指が入る程度の幅の切り抜きを上下方向に有するので、従来と同様の方法で可動スイッチレバーＡを遮断器ＣＢのオフの位置１まで押し下げることができる。
【００２０】
また、誤切断防止具Ｙの左右の側面には、本実施例においては経済性を考慮に入れて側面壁を設けていないが、もちろん、有っても良い。
【００２１】
なお、以上の実施例での誤切断防止具Ｙの材質は、金属、プラスチックなど又は金属とプラスチックなどを組合わせたものでも良い。
【００２２】
つぎに、本発明にかかる第２の実施例を図２を用いて説明する。図２（ａ）は本発明の誤切断防止具Ｙの側面図であり、図２（ｂ）はその斜視図である。
【００２３】
本発明の誤切断防止具Ｙは、第１の実施例と同じく、遮断器ＣＢ用の固定穴Ｄを利用し、電源装置の正面パネルＢの表面に共締めで固定する。本実施例は第１の実施例の誤切断防止具Ｙの左右側面の側面壁を板状とし、形状は遮断器ＣＢの可動スイッチレバーＡの操作方法が第１の実施例と同様にできるようにしたものである。
【００２４】
つまり、可動スイッチレバーＡが遮断器ＣＢのオンの位置３にあるときはその可動スイッチレバーＡの頭部Ｈを完全に誤切断防止具Ｙの左右側面壁を結ぶ線の内側に収めるような形状となっている。
【００２５】
そのため、作業者が意図しないときに体の一部が可動スイッチレバーＡに接触し、可動スイッチレバーＡが動いて、誤って電源回路の入力や出力を切断してしまうという危険性はない。
【００２６】
また、可動スイッチレバーＡが遮断器ＣＢのオフの位置１にあるときは誤切断防止具Ｙから可動スイッチレバーＡの頭部Ｈが誤切断防止具Ｙの左右側面の側面壁を結ぶ線の外側となるような形状となっている。
【００２７】
遮断器ＣＢをオフ状態からをオンするために可動スイッチレバーＡを遮断器ＣＢのオフの位置１からほぼ水平の位置のはね上がり開始の位置２まで押し上げる間は、誤切断防止具Ｙの左右側面壁を結ぶ線から可動スイッチレバーＡの頭部Ｈが外側となるように勾配を付けてある。
【００２８】
可動スイッチレバーＡがはね上がり開始の位置２に達すると、指を離しても自動的に可動スイッチレバーＡは遮断器ＣＢのオンの位置３にはね上がり、その可動スイッチレバーＡの頭部Ｈは誤切断防止具Ｙの左右側面壁を結ぶ線の内側に収まる。
【００２９】
さらに、可動スイッチレバーＡを操作する方法として、従来は指を電源装置の正面パネルＢにほぼ垂直方向で可動スイッチレバーＡを上下させていたが、本発明ではより操作し易いように、誤切断防止具Ｙの側面壁に指を沿わせて可動スイッチレバーＡをはね上がり開始の位置２まで容易に、かつ、確実に押し上げることができるような勾配にしてあり、操作性が良くなった。
【００３０】
遮断器ＣＢをオフするときは、誤切断防止具Ｙの正面部分に作業者の指が入る程度の幅の切り抜きを上下方向に有するので、従来と同様の方法で可動スイッチレバーＡの頭部Ｈをオフの位置１まで押し下げることができる。
【００３１】
また、誤切断防止具Ｙの左右の側面には、本実施例においては材料のプラスチックの強度を考慮に入れて側面には抜き穴を設けてはいないが、もちろん、強度の大きい材質であれば抜き穴が有っても良い。
【００３２】
なお、以上の実施例での誤切断防止具Ｙの材質は、金属、プラスチックなど又は金属とプラスチックなどを組合わせたものでも良い。
【００３３】
また、本実施例で述べた遮断器ＣＢは一例を示し、電源装置の入力や出力の過電流保護用遮断器や過電圧保護用遮断器などの各種保護装置や警報装置が付随していても本実施例と同様の効果を有する。
【００３４】
また、本実施例では図３で示すように、遮断器ＣＢが電源装置Ｃの正面パネルＢに実装されている場合について説明したが、電源装置のどの筐体壁面に実装されていても本発明の効果は同様である。
【００３５】
【発明の効果】
本発明は以上述べたような特徴を有しており、遮断器ＣＢがオンの状態で可動スイッチレバーＡが遮断器ＣＢのオンの位置３にあるときはその可動スイッチレバーＡの頭部Ｈは実質的に誤切断防止具Ｙの内側に隠れるため、作業者が意図しないときに体の一部が可動スイッチレバーＡに接触し、可動スイッチレバーＡが動いて、誤って電源回路の入力や出力を切断してしまうという危険性をなくすことができる。
【００３６】
さらに、可動スイッチレバーＡを操作する方法として、従来は指を電源装置の正面パネルＢに垂直方向で可動スイッチレバーＡを上下させていたが、本発明ではより操作し易いように、誤切断防止具Ｙの表面に正面パネルＢに平行な方向に指を沿わせて可動スイッチレバーＡをはね上がり開始の位置２まで容易に、かつ、確実に押し上げることができるようになり操作性が良くなった。
【００３７】
さらに、誤切断防止のために可動スイッチレバーＡを埋没させる構造とする必要が無くなり、これに伴い取付金具なども不要となり、製造コストを下げることが可能になった。
【図面の簡単な説明】
【図１】  本発明の第１の実施例の態様を示す。
【図２】  本発明の第２の実施例の態様を示す。
【図３】  本発明の電源装置の実施例の態様を示す。
【図４】  第１の従来例の態様を示す。
【図５】  第２の従来例の態様を示す。
【符号の説明】
Ａ・・・可動スイッチレバー、  Ｂ・・・正面パネル、  Ｃ・・・電源装置、
Ｄ・・・遮断器用の固定穴、  Ｈ・・・可動スイッチレバーの頭部、
Ｗ・・・遮断器取付金具、  Ｘ・・・誤切断防止具、  Ｙ・・・誤切断防止具、
ＣＢ・・・遮断器、
１・・・遮断器のオフの位置、
２・・・可動スイッチレバーのはね上がり開始の位置、
３・・・遮断器のオンの位置
【図１】
0004201456.tif 000002
【図２】
0004201456.tif 000003
【図３】
0004201456.tif 000004
【図４】
0004201456.tif 000005
【図５】
0004201456.tif 000006